(57)【要約】【課題】熱交換器の取り付けを容易にすることができる空気調和機の室内機および空気調和機の室内機の組立方法を提供する。【解決手段】空気調和機の室内機２は、クロスフローファン７１と、室内熱交換器５０と、下部ケーシング７０とを備える。室内熱交換器５０は、略逆Ｖ字型の断面形状を有し、冷媒が流れる補助配管が接続されており、クロスフローファン７１の上方を覆うように配置される。下部ケーシング７０は、クロスフローファン７１を支持する。そして、下部ケーシング７０の各部は、クロスフローファン７１の頂上部分の高さ以下の位置にある。【選択図】        図５
2004163018.tif 000002
【特許請求の範囲】
【請求項１】
送風ファン（７１）と、
略逆Ｖ字型の断面形状を有し、冷媒が流れる配管（５１）が接続されており、前記送風ファン（７１）の上方を覆うように配置される熱交換器（５０）と、
前記送風ファン（７１）を支持する支持ユニット（７０）と、
を備え、
前記支持ユニット（７０）の各部は、前記送風ファン（７１）の頂上部分の高さ以下の位置にある、
空気調和機（１）の室内機（２）。
【請求項２】
前記熱交換器（５０）は、前記送風ファン（７１）の前方、上方および後方を覆うように配置される、
請求項１に記載の空気調和機（１）の室内機（２）。
【請求項３】
前記熱交換器（５０）は、前記送風ファン（７１）が取り付けられた状態の前記支持ユニット（７０）に取り付けられる、
請求項１または２に記載の空気調和機（１）の室内機（２）。
【請求項４】
電装品が収容され、前記送風ファン（７１）の頂上部分の高さ以下となるように前記支持ユニット（７０）に支持される電装品箱（７３）をさらに備え、
前記電装品箱（７３）は、前記支持ユニット（７０）に取り付けられる、
請求項３に記載の空気調和機（１）の室内機（２）。
【請求項５】
前記送風ファン（７１）は、円筒形状を有し、中心軸が水平になるように配置されており、
前記送風ファン（７１）を回転駆動し、前記送風ファン（７１）と同軸に配置される駆動装置（７２）をさらに備え、
前記電装品箱（７３）は、前記電装品のうち強電部品（７３２）が前記駆動装置（７２）と軸方向に並ぶように配置される、
請求項４に記載の空気調和機（１）の室内機（２）。
【請求項６】
前記送風ファン（７１）を回転駆動する駆動装置（７２）をさらに備え、
前記支持ユニット（７０）は、前記送風ファン（７１）、前記電装品箱（７３）および前記駆動装置（７２）を正面視において下方から支持し、下面が平坦に形成されている、
請求項４に記載の空気調和機（１）の室内機（２）。
【請求項７】
送風ファン（７１）を支持した状態においてその各部が前記送風ファン（７１）の頂上部分の高さ以下の位置にある支持ユニット（７０）に、前記送風ファン（７１）を取り付ける第１ステップ（Ｓ１）と、
前記第１ステップ（Ｓ１）の後に、冷媒が流れる配管（５１）が接続されており前記送風ファン（７１）の上方を覆うように配置される熱交換器（５０）を取り付ける第２ステップ（Ｓ２）と、
前記第２ステップ（Ｓ２）の後に、前記熱交換器（５０）の背面側を覆って背面側空気流路を形成する背面部材（８）を取り付ける第３ステップ（Ｓ４）と、を備える空気調和機（１）の室内機（２）の組立方法。
【発明の詳細な説明】
【０００１】
【発明の属する技術分野】
本発明は、空気調和機の室内機および空気調和機の室内機の組立方法に関する。
【０００２】
【従来の技術】
空気調和機の室内機には、熱交換器と送風ファンとを備え、熱交換された空気を室内へと送ることにより室内の空気調和を行うものがある。熱交換器には、冷媒が流れる配管が接続され、この配管から熱交換器へと流れる冷媒と室内空気との間で熱交換が行われる。熱交換器と送風ファンとは、熱交換器が送風ファンの上方を覆うように支持ユニットに配置されることが多い。また、空気調和機の室内機は、送風ファンを支持する支持ユニットを備えている。従来、この支持ユニット（底フレーム組立体）は、送風ファンの上方まで延びるような形状を有するものが多い（特許文献１参照）。
【０００３】
【特許文献１】
特開２００２−１９５５９５号公報（第２図および第３図）
【０００４】
【発明が解決しようとする課題】
上記のように支持ユニットが送風ファンの上方まで延びるような形状を有する場合、熱交換器の取付が行い難くなる恐れがある。すなわち、支持ユニットが送風ファンの上方まで延びるような形状を有する場合には、熱交換器を送風ファンの上方を覆うように取り付ける際に、熱交換器に接続されている配管と支持ユニットとが接触し易くなる。このため、熱交換器を支持ユニットに取り付けることが困難となる。
【０００５】
本発明の課題は、熱交換器の取り付けを容易にすることができる空気調和機の室内機および空気調和機の室内機の組立方法を提供することにある。
【０００６】
【課題を解決するための手段】
請求項１に記載の空気調和機の室内機は、送風ファンと、熱交換器と、支持ユニットとを備える。熱交換器は、略逆Ｖ字型の断面形状を有し、冷媒が流れる配管が接続されており、送風ファンの上方を覆うように配置される。支持ユニットは、送風ファンを支持する。そして、支持ユニットの各部は、送風ファンの頂上部分の高さ以下の位置にある。
【０００７】
この空気調和機の室内機では、支持ユニットの各部は、送風ファンの頂上部分の高さ以下の位置にある。そして、熱交換器は、送風ファンの上方を覆うように配置される。このため、熱交換器の取付の際に、支持ユニットの各部が熱交換器に接続されている配管の妨げとなる恐れが少ない。これにより、この空気調和機の室内機では、熱交換器の取り付けを容易にすることができる。
【０００８】
請求項２に記載の空気調和機の室内機は、請求項１に記載の空気調和機であって、熱交換器は、送風ファンの前方、上方および後方を覆うように配置される。
熱交換器が、送風ファンの前方、上方および後方を囲むように配置されると熱交換器と送風ファンとの距離が短くなり、空気調和機の室内機を小型化することができる。その一方、熱交換器と送風ファンとの距離が短くなるため、送風ファンを支持する支持ユニットが熱交換器に接続される配管の妨げとなりやすい。
【０００９】
しかし、この空気調和機の室内機では、支持ユニットの各部は、送風ファンの頂上部分の高さ以下の位置にある。このため、熱交換器が送風ファンの前方、上方および後方を囲むように配置される場合であっても、熱交換器の取付の際に支持ユニットの各部が熱交換器に接続される配管の妨げとなる恐れが少ない。このため、この空気調和機の室内機では、小型化が可能であると共に熱交換器の取り付けを容易にすることができる。
【００１０】
請求項３に記載の空気調和機は、請求項１または２に記載の空気調和機の室内機であって、熱交換器は、送風ファンが取り付けられた状態の支持ユニットに取り付けられる。
この空気調和機の室内機では、熱交換器は、送風ファンが取り付けられた状態の支持ユニットに取り付けられるため、熱交換器が取り付けられる前の状態では、送風ファンが支持ユニットに取り付けられた状態となっている。そして、送風ファンが支持ユニットに取り付けられている状態では、支持ユニットの各部が送風ファンの頂上部分の高さ以下である。従って、送風ファンと支持ユニットとを合わせたユニットが小型化されており、その搬送が行い易くなる。このため、この空気調和機の室内機では、送風ファンと支持ユニットとを合わせたユニットの搬送性を向上させることができる。
【００１１】
請求項４に記載の空気調和機は、請求項３に記載の空気調和機の室内機であって、電装品箱をさらに備える。電装品箱は、電装品が収容され、送風ファンの頂上部分の高さ以下となるように支持ユニットに支持される。そして、電装品箱は、支持ユニットに取り付けられる。
この空気調和機の室内機では、支持ユニットと送風ファンと電装品箱とをユニット化することができる。そして、電装品箱が支持ユニットに取り付けられた状態でも、支持ユニットの各部と電装品箱が送風ファンの頂上部分の高さ以下となっている。従って、支持ユニットと送風ファンと電装品箱とを合わせたユニットが小型化されており、その搬送が行い易くなる。このため、この空気調和機の室内機では、送風ファンと電装品箱と支持ユニットとを合わせたユニットの搬送性を向上させることができる。
【００１２】
請求項５に記載の空気調和機の室内機は、請求項４に記載の空気調和機の室内機であって、送風ファンは、円筒形状を有し、中心軸が水平になるように配置されており、駆動装置をさらに備えている。駆動装置は、送風ファンを回転駆動し、送風ファンと同軸に配置される。そして、電装品箱は、電装品のうち強電部品が駆動装置と軸方向に並ぶように配置される。
【００１３】
電装品箱に収容される電装品のうち強電部品は比較的大きな部品である。このため、電装箱が送風ファンの頂上部分の高さ以下となるようなコンパクトな構成を実現するためには、この強電部品の配置が問題となる。
しかし、この空気調和機の室内機では、送風ファンと駆動装置と強電部品とが軸方向に並んで配置されている。すなわち、送風ファンと駆動装置と強電部品とは水平方向に並んで配置されている。このため、電装品箱が鉛直方向へ大きくなることが抑えられる。これにより、この空気調和機の室内機では、電装箱が送風ファンの頂上部分の高さ以下となるような構成を容易に実現することができる。
【００１４】
請求項６に記載の空気調和機の室内機は、請求項４に記載の空気調和機の室内機であって、送風ファンを回転駆動する駆動装置をさらに備える。そして、支持ユニットは、送風ファン、電装品箱および駆動装置を正面視において下方から支持し、下面が平坦に形成されている。
この空気調和機の室内機では、支持ユニットは、送風ファン、電装品箱および駆動装置を下方から支持する。従って、支持ユニットの上に送風ファン、電装品箱および駆動装置を載せた状態で各構成部品をまとめて搬送することができる。また、下面が平坦に形成されているため、送風ファン、電装品箱および駆動装置を載せた状態でも安定感があり、搬送が行い易くなる。
【００１５】
請求項７に記載の空気調和機の室内機の組立方法は、第１ステップと第２ステップと第３ステップとを備える。第１ステップは、送風ファンを支持した状態においてその各部が送風ファンの頂上部分の高さ以下の位置にある支持ユニットに、送風ファンを取り付ける。第２ステップは、第１ステップの後に、冷媒が流れる配管が接続されており送風ファンの上方を覆うように配置される熱交換器を取り付ける。第３ステップは、第２ステップの後に、熱交換器の背面側を覆って背面側空気流路を形成する背面部材を取り付ける。
【００１６】
この空気調和機の室内機の組立方法では、支持ユニットの各部が送風ファンの頂上部分の高さ以下の位置にあるため、熱交換器を取り付ける際に支持ユニットの各部が熱交換器に接続される配管の妨げになる恐れが少ない。また、先に熱交換器が取り付けられてから背面部材が取り付けられるため、背面部材が熱交換器に接続される配管の妨げとなる恐れも少ない。このため、この空気調和機の室内機の組立方法では、熱交換器の取り付けを容易にすることができる。
【００１７】
【発明の実施の形態】
〔空気調和機の全体構成〕
本発明の一実施形態が採用された空気調和機１の外観を図１に示す。
この空気調和機１は、室内の壁面などに取り付けられる室内機２と、室外に設置される室外機３とを備えている。
【００１８】
室内機２内には室内熱交換器５０が収納され、室外機３内には室外熱交換器３０が収納されており、各熱交換器３０，５０が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器５０、アキュムレータ３１、圧縮機３２、四路切換弁３３、室外熱交換器３０および電動膨張弁３４で構成される。
【００１９】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００２０】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器５０の一端と接続される。また、四路切換弁３３は、ガス閉鎖弁３７を介して配管４２に接続されており、この配管４２を介して室内熱交換器５０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、室外ファンモータ３９によって回転駆動される。
【００２１】
〔室内機の構成〕
図３（ａ）に室内機２の正面図、図３（ｂ）に室内機２の側面図を示す。室内機２は、正面視に置いて横方向に長い形状を有しており、正面視および側面視において上下に色彩が分かれたツートンカラーとなっている。
室内機２は、主として、上部ケーシング６、下部ユニット７および室内機２の内部に収容されている室内熱交換器ユニット５によって構成されている。上部ケーシング６は、室内機２の上部を覆っている。下部ユニット７は室内機２の下部を構成している。上部ケーシング６と下部ユニット７とは別体に形成されており、上部ケーシング６と下部ユニット７の一部との境界が室内機２の外観において水平線として現れている。また、上部ケーシング６と下部ユニット７の一部とは異なる色となっており、上部ケーシング６と下部ユニット７との境界である水平線を境にして上下に異なる色のツートンカラーとなっている。
【００２２】
以下、室内機２の各構成について説明する。
〈室内熱交換器ユニット〉
室内熱交換器ユニット５は、図４に示すように、室内熱交換器５０、補助配管５１、補助支持部材５２等によって構成されている。なお、図４は、上部ケーシング６が取り外された状態の室内機２の右側面図である。
【００２３】
図５に室内機２の側面断面図を示す。
室内熱交換器５０は、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換器５０ａ、第２室内熱交換器５０ｂ、第３室内熱交換器５０ｃ、第４室内熱交換器５０ｄの４つの部分に分割されている。室内熱交換器５０は、各室内熱交換器５０ａ，５０ｂ，５０ｃ，５０ｄがそれぞれ接合されることにより、側面視において両端が下方に向けて屈曲する概ね逆Ｖ字型の断面形状を有するように形成されている。
【００２４】
各室内熱交換器５０ａ，５０ｂ，５０ｃ，５０ｄは、それぞれ水平方向に長い板状の形状を有している。各室内熱交換器５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換器５０ａ，５０ｂ，５０ｃ，５０ｄの両側端においてＵ字型伝熱管によって折り返されている。
【００２５】
第１室内熱交換器５０ａは、上端が室内機２の前方へ向けて傾斜しており、クロスフローファン７１の中央上方から後側上方を覆うように配置されている。
第２室内熱交換器５０ｂは、上端が室内機２の後方へ向けて傾斜しており、第１室内熱交換器５０ａの前方に配置されている。第２室内熱交換器５０ｂの上端は、第１室内熱交換器５０ａの上端と接合されており、第１室内熱交換器５０ａと第２室内熱交換器５０ｂとは、側面視において逆Ｖ字型になるように組み合わされている。第２室内熱交換器５０ｂは、クロスフローファン７１の中央上方から前側上方を覆うように配置されている。
【００２６】
第３室内熱交換器５０ｃは、第２室内熱交換器５０ｂの下方にクロスフローファン７１の前方を覆うように配置されている。第３室内熱交換器５０ｃの上端は第２室内熱交換器５０ｂの下端に角度を付けて接合されており、第３室内熱交換器５０ｃと第２室内熱交換器５０ｂとによって鈍角が形成されている。第３室内熱交換器５０ｃは、高さ方向、すなわち鉛直方向に平行になっており、室内熱交換器５０の下方の水平面を覆う下部ユニット７に対して垂直になっている。また、第３室内熱交換器５０ｃの下端は室内熱交換器５０の下端となっており、第３室内熱交換器５０ｃの下端、すなわち室内熱交換器５０の前側の下端は、クロスフローファン７１の中心軸と略同じ高さに位置している。
【００２７】
第４室内熱交換器５０ｄは、第１室内熱交換器５０ａの下方にクロスフローファン７１の後方を覆うように配置されている。第４室内熱交換器５０ｄの上端は、第１室内熱交換器５０ａの下端に角度を付けて接合されており、第４室内熱交換器５０ｄと第１室内熱交換器５０ａとによって鈍角が形成されている。第４室内熱交換器５０ｄは、高さ方向に平行になっており、室内熱交換器５０の下方の水平面を覆う下部ユニット７に対して垂直になっている。また、第４室内熱交換器５０ｄの下端は、室内熱交換器５０の後側の下端となっており、第４室内熱交換器５０ｄの下端、すなわち室内熱交換器５０の後側の下端は、クロスフローファン７１の中心軸と略同じ高さに位置している。
【００２８】
第３室内熱交換器５０ｃと第４室内熱交換器５０ｄとは高さ方向に同じ長さを有しており、第３室内熱交換器５０ｃと第４室内熱交換器５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００２９】
第１室内熱交換器５０ａ、第２室内熱交換器５０ｂ、第３室内熱交換器５０ｃおよび第４室内熱交換器５０ｄは、それぞれ両側端（正面視における左右方向の端）に設けられた固定板によって相互に固定されることにより、一体に接合されて室内熱交換器５０を形成している。室内熱交換器５０は、第１室内熱交換器５０ａと第２室内熱交換器５０ｂとによって形成される逆Ｖ字型の部分と、第１室内熱交換器５０ａと第２室内熱交換器５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換器５０ａと第２室内熱交換器５０ｂとが、また、第３室内熱交換器５０ｃと第４室内熱交換器５０ｄとが前後に対称になっている。室内熱交換器５０は、側面視においては上記のように前後対称な逆Ｖ字型を含む断面形状に形成されているが、正面視においては横方向に長い形状を有している。
【００３０】
補助配管５１は、室内熱交換器５０と、室内機２の外部にある冷媒配管４を繋いでおり、室内熱交換器５０と室外熱交換器３０との間を行き来する冷媒が流れる。補助配管５１は、図４および図６に示すように、室内熱交換器５０の伝熱管に接続されている。なお、図６は、上部ケーシング６が取り外された室内機２の右側部分の上面図である。補助配管５１は、室内熱交換器５０の右側面から突出しており、室内熱交換器５０の右側の空間で取り回されている。補助配管５１は、室内熱交換器５０の右側面から突出した後に室内機２の背面側へ向けて屈曲されており、複数の補助配管５１がまとめられて保護チューブ５３によって覆われている。まとめられた補助配管５１は、室内熱交換器５０の右側の空間を室内機２の背面側に沿って下方へと伸び、室内機２の後側下部の空間で室内機２の左側面に向けてさらに屈曲され、冷媒配管４に接続されている。
【００３１】
補助支持部材５２は、室内熱交換器５０の両側面付近に設けられており、図４に示すように、室内熱交換器５０を内側から支持している。室内熱交換器ユニット５は、逆Ｖ字型の形状を有しており下方が開口しているため、クロスフローファン７１や室内ファンモータ７２が取り付けられた状態の下部ユニット７に上方から被せられ、補助支持部材５２を介して下部ユニット７に支持される。
【００３２】
〈上部ケーシング〉
上部ケーシング６は、図３および図５に示すように、室内機２の上部を構成しており、上前面部６０、天面部６１および上側面部６２，６３によって構成されている。
上前面部６０は、室内機２の前側上部を覆っており、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００３３】
天面部６１は、室内機２の天面を覆っており、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００３４】
上側面部６２，６３は、室内機２の側面上部を覆っており、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００３５】
〈下部ユニット〉
下部ユニット７は、室内機２の下部を構成しており、図７および図８に示すように、下部ケーシング７０、クロスフローファン７１、室内ファンモータ７２、電装品箱７３等がモジュール化されて構成されている。
（下部ケーシング）
下部ケーシング７０は、下前面部７４、底面部７５、下側面部７６，７７、支持部７８等によって構成されており、上部ケーシング６とは異なる色となっている。
【００３６】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図５に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００３７】
底面部７５は、室内機２の底面を覆っており、平坦に形成されている。底面部７５は、水平に配置されており、その上に支持部７８が配置されている。
下側面部７６，７７は、側面視において室内機２の側面下部として視野に現れる部分であり、室内機２の側面下部を覆っている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００３８】
支持部７８は、下前面部７４、底面部７５、下側面部７６，７７によって囲まれており、支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。
【００３９】
支持部７８は、室内熱交換器ユニット５の補助支持部材５２を介して室内熱交換器５０を支持する。支持部７８の上面は、クロスフローファンの中心軸と略同じ高さとなっている。支持部７８の上面には、図７に示すように、ドレンパン７８１，７８２とファン収容部７８７とが設けられている。
ドレンパン７８１，７８２は、熱交換時に室内熱交換器５０の表面に発生する水滴を受け取る部分であり、支持部７８の上面から下方に窪んだ凹状の部材によって形成されている。このドレンパン７８１，７８２には前ドレンパン７８１と後ドレンパン７８２とがあり、前ドレンパン７８１は、図５に示すように、第３室内熱交換器５０ｃの下方に、すなわち室内熱交換器５０の前側下端の下方に配置されている。後ドレンパン７８２は、第４室内熱交換器５０ｄ、すなわち室内熱交換器５０の後側下端の下方に配置されている。前ドレンパン７８１と後ドレンパン７８２とは、クロスフローファン７１を挟んで前後に配置されている。前ドレンパン７８１と後ドレンパン７８２とは、略同じ高さに位置しており、前ドレンパン７８１と後ドレンパン７８２との底面はクロスフローファン７１の中心軸の高さよりも低い位置にあるが、室内熱交換器５０の下端に近接して配置されている。なお、前ドレンパン７８１と後ドレンパン７８２とは、それぞれドレン水を受ける底面が室内機２の右側へと少し傾斜している。そして、支持部７８の右側部分には、図８に示すように、前ドレンパン７８１と後ドレンパン７８２とを繋ぐ連通部分７８３が設けられており、この連通部分７８３には下方へと貫通している水抜き孔７８４が設けられている。この水抜き孔７８４は、図９に示すように、ドレン水をドレンパン７８１，７８２から外部へと排出するためのドレンホース７８５の内部と連通している。室内熱交換器５０から滴下したドレン水は、前ドレンパン７８１と後ドレンパン７８２とによって受けられ、連通部分７８３で集められ、水抜き孔７８４からドレンホース７８５を経て機外へと排出される。
【００４０】
ファン収容部７８７は、クロスフローファン７１と室内ファンモータ７２とが収容される部分であり、支持部７８の上面の中央付近に設けられている。ファン収容部７８７は支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００４１】
また、支持部７８は、後ドレンパン７８２とクロスフローファン７１との間に、支持部７８の上面から上方へと突出する舌部７８６を有している。この舌部７８６は、クロスフローファン７１の後方を覆っており、舌部７８６の上端はクロスフローファン７１の頂上部分より若干低い高さに位置している。
このように支持部７８の上面には、前ドレンパン７８１、後ドレンパン７８２およびファン収容部７８７が設けられ、舌部７８６が上方へ突出しているが、支持部７８の上面の他の部分は概ね平坦かつ水平に形成されており、クロスフローファン７１の中心線と略同じ高さに位置している。
【００４２】
上記のように、支持部７８の最も高い位置にある部分は舌部７８６であるが、舌部７８６は、クロスフローファン７１の頂上部分の高さ以下に位置している。また、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００４３】
なお、支持部７８の上面の背面側もクロスフローファン７１の高さ以下となっているが、上部ケーシング６の天面部６１と支持部７８の上面の背面側との間の部分は、室内の壁面に取り付けられる据付板８によって塞がれる（図５参照）。据付板８は、室内機２の長手方向には室内熱交換器５０と略同じ長さを有しており、室内熱交換器５０の背面側を覆っている。据付板８は、室内機２の背面側を覆うことにより、室内熱交換器５０で熱交換される空気が通る空気流路を上部ケーシング６と共に形成しており、特に背面側空気流路を形成している。
【００４４】
（クロスフローファン）
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置している。クロスフローファン７１は、支持部７８によって支持され、支持された状態のクロスフローファン７１の上半分は支持部７８の上面から上方へ突出している。
【００４５】
（室内ファンモータ）
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図８に示すように、クロスフローファン７１の右側方にクロスフローファン７１と同軸に配置されており、室内ファンモータ７２が支持部７８に取り付けられた状態では、室内ファンモータ７２とクロスフローファン７１との頂上部分との高さは略同じとなっている（図７参照）。
【００４６】
（電装品箱）
電装品箱７３は、図６および図８に示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置する。電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した室内熱交換器ユニット５の補助配管５１が通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している。
【００４７】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
〔室内機の組立方法〕
次に、室内機２の組立方法を説明する。
【００４８】
室内機２の組立は、主として、下部ユニット７の組立Ｓ１、室内熱交換器ユニット５の取付Ｓ２、上部ケーシング６の取付Ｓ３、据付板８の取付Ｓ４によって構成される。
下部ユニット７の組立Ｓ１では、クロスフローファン７１と室内ファンモータ７２と電装品箱７３とが下部ケーシング７０に取り付けられる。下部ケーシング７０には、量産される空気調和機１の室内機２について共通化された色の材料が使用されており、下部ケーシング７０の色は共通化されている。また、下部ケーシング７０の底面部７５は平坦に形成されている。このため、組立作業においては、下部ケーシング７０を基礎として、その上に他の構成部品が取り付けられる。クロスフローファン７１と室内ファンモータ７２とは、下部ケーシング７０の支持部７８の中央付近のファン収容部７８７に上方から取り付けられ、クロスフローファン７１と室内ファンモータ７２との下半分がファン収容部７８７に収容された状態となる。電装品箱７３は、支持部７８の右側面に取り付けられる。
【００４９】
なお、この下部ユニット７はモジュール化されているため、この下部ユニット７の組立Ｓ１は、他の工程とは別に量産されることが可能である。
室内熱交換器ユニット５の取付Ｓ２では、上記のように組み立てられた下部ユニット７に、室内熱交換器ユニット５が取り付けられる。室内熱交換器ユニット５は下方が開放されており、支持部７８の上面から突出するクロスフローファン７１の上半分を覆うように下部ユニット７の上方から被せられて取り付けられる。
【００５０】
上部ケーシング６の取付Ｓ３では、上部ケーシング６が、下部ユニット７の上方から被せられて取り付けられる。この上部ケーシング６は、色の異なる複数種類のものが用意されており、その中から選択された上部ケーシング６が下部ユニット７に取り付けられる。上部ケーシング６が下部ユニット７に取り付けられると、上部ケーシング６の下端と、下部ケーシング７０の下前面部７４および下側面部７６，７７の上端とが合致した状態となる。選択された上部ケーシング６の色が下部ケーシング７０の色と異なる場合は、上記の様な上下に色が分かれたツートンカラーの意匠が室内機２に表れる。
【００５１】
据付板８の取付Ｓ４では、据付板８が室内機２の背面に取り付けられる。据付板８は室内の壁面に予め取り付けられており、上記のように組み立てられた室内機２を壁面に取り付けることにより室内機２の背面に据付板８が取り付られる。据付板８は、室内熱交換器５０の背面側を覆い、支持部７８の上面の背面側から天面部６１までの部分を覆う。
【００５２】
〔特徴〕
（１）
この空気調和機１の室内機２では、下部ケーシング７０が、クロスフローファン７１の頂上部分の高さ以下の位置にある。このため、室内熱交換器ユニット５を下部ユニット７に取り付ける際に、下部ケーシング７０が室内熱交換器５０に接続されている補助配管５１の妨げとならず、室内熱交換器ユニット５の取付が容易になっている。
【００５３】
（２）
この空気調和機１の室内機２が備える室内熱交換器５０は、クロスフローファン７１の前方、上方および後方を囲むように配置され、室内熱交換器５０の位置が比較的低くなっている。このため、室内機２の高さ方向の寸法が小型化されている。
【００５４】
また、空気調和機の室内機が小型化されると、室内機の他の構成部品が補助配管の妨げになりやすくなるため、上記のように室内熱交換器ユニット５の取付が容易になる本発明が特に有効である。
（３）
この空気調和機１の室内機２では、下部ユニット７がモジュール化されている。従って、下部ユニット７の組立Ｓ１を室内機２の最終組立とは別の場所で行うことが可能である。そして、この場合、予め組み立てられた下部ユニット７を室内機２の組立場所まで搬送する必要がある。
【００５５】
この空気調和機１の室内機２では、クロスフローファン７１、室内ファンモータ７２、電装品箱７３が下部ケーシング７０に積まれた状態でまとめて搬送されることができる。そして、下部ユニット７の各部がクロスフローファン７１の頂上部分の高さ以下であり、下部ユニット７は、全体として比較的高さ方向に寸法の小さい形状となっている。このため、搬送時の省スペース化が実現され、下部ユニット７の搬送が容易になっている。
【００５６】
また、この空気調和機１の室内機２では、下部ユニット７がモジュール化されており、下部ユニット７には制御基板７３１等の電装品や、室内ファンモータ７２、フラップモータ（図示せず）等のアクチュエータが含まれるため、下部ユニット７の組立Ｓ１終了後に、電気系統の検査が可能である。
（４）
この空気調和機１の室内機２では、クロスフローファン７１と室内ファンモータ７２と強電部品７３２とが水平方向に平行な軸方向に並んで配置されている。このため、強電部品７３２を収容するために電装品箱７３が鉛直方向へ大きくなることが抑えられている。これにより、この空気調和機１の室内機２では、電装箱７３が直方体形状というシンプルな形状であるにもかかわらず、クロスフローファン７１の頂上部分の高さ以下となるような構成が容易に可能となっている。
【００５７】
（５）
この空気調和機１の室内機２では、下部ケーシング７０は、クロスフローファン７１、室内ファンモータ７２、電装品箱７３等を下方から支持する。従って、下部ケーシングの上にクロスフローファン７１、室内ファンモータ７２、電装品箱７３を載せた状態でまとめて搬送することができる。また、下部ケーシング７０の下面が平坦に形成されているため、下部ケーシング７０にクロスフローファン７１、室内ファンモータ７２、電装品箱７３が載せられた状態でも安定感があり、搬送が容易になっている。
【００５８】
（６）
この空気調和機１の室内機２の組立方法では、下部ユニット７の各部がクロスフローファン７１の頂上部分の高さ以下の位置にあるため、室内熱交換器ユニット５が取り付けられる際に、下部ユニット７の各部が室内熱交換器５０に接続される補助配管５１の妨げにならない。また、先に室内熱交換器ユニット５が取り付けられてから室内機２の背面側に据付板８が取り付けられるため、室内熱交換器ユニット５が取り付けられる際には、室内機２の背面側に取付の妨げとなる部材が存在しない。このため、この空気調和機１の室内機２の組立方法では、室内熱交換器ユニット５の取り付けが容易になっている。
【００５９】
〔他の実施形態〕
（１）
上記の実施形態では、下部ユニット７の支持部７８の上面が概ね平坦に形成されているが、支持部７８の上面は必ずしも平坦でなくてもよく、支持部７８の各部分の高さがクロスフローファン７１の高さ以下であればよい。また、支持部７８に限らず下部ケーシング７０等の下部ユニット７の他の部分の高さも、クロスフローファン７１の頂上部分の高さ以下であればよい。
【００６０】
（２）
上記の実施形態では、電装品箱７３は室内熱交換器ユニット５が下部ユニット７に取り付けられる前に支持部７８に取り付けられているが、電装品箱７３が下部ユニット７のモジュールに含まれない場合は、電装品箱７３は、室内熱交換器ユニット５が取り付けられた後に取り付けられてもよい。
【００６１】
（３）
上記の実施形態では、室内熱交換器５０の背面側は室内の壁面に取り付けられた据付板８によって覆われているが、据付板８とは別の部材が、室内熱交換器ユニット５の取付Ｓ２の後に室内熱交換器５０の背面側に取り付けられてもよい。
（４）
上記の実施形態では、室内熱交換器５０は、逆Ｖ字型の部分とその下端から下方へと延びる直線部分とを有する断面形状を有しているが、逆Ｖ字型の部分のみの断面形状を有してもよい。この場合も、室内熱交換器５０がクロスフローファン７１の前方、上方および後方を覆うように比較的低い位置に配置されることにより、室内機２の小型化は可能である。
【００６２】
（５）
上記の実施形態では、上部ケーシング６と下部ケーシング７０との色が異なり室内機２はツートンカラーとなっているが、上部ケーシング６と下部ケーシング７０とが同じ色となっていてもよい。
（６）
上記の実施形態では、室内機２は、図１１（ａ）に示すように、外観上、上部ケーシング６と下部ユニット７とに上下に別れているが、図１１（ｂ）に示す室内機２ｂのように、上部ケーシング６ｂが下部ユニット７を覆うようなものであってもよい。この室内機２ｂでは、上部ケーシング６ｂは、室内機２ｂの前面、上面、下面および両側面を覆っており、下部ユニット７の前面、下面および両側面を覆っている。このような室内機２ｂであっても、室内熱交換器ユニット５の取付が容易になる効果や下部ユニット７の搬送が容易になる効果等は同様に奏することができる。なお、上部ケーシング６ｂは、下部ユニット７の両側面を覆わずに、下部ユニット７の前面および下面のみを覆うものであってもよい。
【００６３】
【発明の効果】
請求項１に記載の空気調和機の室内機では、支持ユニットの各部は、送風ファンの頂上部分の高さ以下の位置にある。そして、熱交換器は、送風ファンの上方を覆うように配置される。このため、熱交換器の取付の際に、支持ユニットの各部が熱交換器に接続されている配管の妨げとなる恐れが少ない。これにより、この空気調和機の室内機では、熱交換器の取り付けを容易にすることができる。
【００６４】
請求項２に記載の空気調和機の室内機では、支持ユニットの各部は、送風ファンの頂上部分の高さ以下の位置にある。このため、熱交換器が送風ファンの前方、上方および後方を囲むように配置される場合であっても、熱交換器の取付の際に支持ユニットの各部が熱交換器に接続される配管の妨げとなる恐れが少ない。このため、この空気調和機の室内機では、小型化が可能であると共に熱交換器の取り付けを容易にすることができる。
【００６５】
請求項３に記載の空気調和機では、熱交換器は、送風ファンが取り付けられた状態の支持ユニットに取り付けられるため、熱交換器が取り付けられる前の状態では、送風ファンが支持ユニットに取り付けられた状態となっている。そして、送風ファンが支持ユニットに取り付けられている状態では、支持ユニットの各部が送風ファンの頂上部分の高さ以下である。従って、送風ファンと支持ユニットとを合わせたユニットが小型化されており、その搬送が行い易くなる。このため、この空気調和機の室内機では、送風ファンと支持ユニットとを合わせたユニットの搬送性を向上させることができる。
【００６６】
請求項４に記載の空気調和機では、支持ユニットと送風ファンと電装品箱とをユニット化することができる。そして、電装品箱が支持ユニットに取り付けられた状態でも、支持ユニットの各部と電装品箱が送風ファンの頂上部分の高さ以下となっている。従って、支持ユニットと送風ファンと電装品箱とを合わせたユニットが小型化されており、その搬送が行い易くなる。このため、この空気調和機の室内機では、送風ファンと電装品箱と支持ユニットとを合わせたユニットの搬送性を向上させることができる。
【００６７】
請求項５に記載の空気調和機の室内機では、送風ファンと駆動装置と強電部品とが軸方向に並んで配置されている。すなわち、送風ファンと駆動装置と強電部品とは水平方向に並んで配置されている。このため、電装品箱が鉛直方向へ大きくなることが抑えられる。これにより、この空気調和機の室内機では、電装箱が送風ファンの頂上部分の高さ以下となるような構成を容易に実現することができる。
【００６８】
請求項６に記載の空気調和機の室内機では、支持ユニットは、送風ファン、電装品箱および駆動装置を下方から支持する。従って、支持ユニットの上に送風ファン、電装品箱および駆動装置を載せた状態で各構成部品をまとめて搬送することができる。また、下面が平坦に形成されているため、送風ファン、電装品箱および駆動装置を載せた状態でも安定感があり、搬送が行い易くなる。
【００６９】
請求項７に記載の空気調和機の室内機の組立方法では、支持ユニットの各部が送風ファンの頂上部分の高さ以下の位置にあるため、熱交換器を取り付ける際に支持ユニットの各部が熱交換器に接続される配管の妨げになる恐れが少ない。また、先に熱交換器が取り付けられてから背面部材が取り付けられるため、背面部材が熱交換器に接続される配管の妨げとなる恐れも少ない。このため、この空気調和機の室内機の組立方法では、熱交換器の取り付けを容易にすることができる。
【図面の簡単な説明】
【図１】空気調和機の外観図。
【図２】冷媒回路の構成図。
【図３】（ａ）室内機の正面図。
（ｂ）室内機の右側面図。
【図４】上部ケーシングが外された室内機の右側面図。
【図５】室内機の右側面断面図。
【図６】上部ケーシングが外された室内機の右側部分の上面図。
【図７】下部ユニットの右側面図。
【図８】下部ユニットの右側部分の上面図。
【図９】下部ユニットの右側面断面図。
【図１０】室内機の組立方法を表すフローチャート。
【図１１】（ａ）室内機の右側面の概略図。
（ｂ）他の実施形態にかかる室内機の右側面の概略図。
【符号の説明】
１          空気調和機
２          室内機
８          据付板（背面部材）
５０        室内熱交換器（熱交換器）
５１        補助配管（配管）
７０        下部ケーシング（支持ユニット）
７１        クロスフローファン（送風ファン）
７２        室内ファンモータ（駆動装置）
７３        電装品箱
７３２      強電部品
【図１】
2004163018.tif 000003
【図２】
2004163018.tif 000004
【図３】
2004163018.tif 000005
【図４】
2004163018.tif 000006
【図５】
2004163018.tif 000007
【図６】
2004163018.tif 000008
【図７】
2004163018.tif 000009
【図８】
2004163018.tif 000010
【図９】
2004163018.tif 000011
【図１０】
2004163018.tif 000012
【図１１】
2004163018.tif 000013